(57)【要約】【課題】送風機のリード線の熱交換器への干渉を防止し、熱交換器より発生する騒音を抑制する天井埋込形空気調和装置を提供する。【解決手段】空気調和機本体１内に熱交換器１１と、この熱交換器１１の略中央空間に配置され、空気調和機本体１の天板１Ｂに送風機モータ５を固定した送風機９とを有する天井埋込形空気調和装置において、熱交換器１１と送風機９との間の空間Ａ内に配置され、天板１Ｂの下方に延びる立下り部３０Ａと天板１Ｂに固定する固定部３０Ｂとを有する板材３０を備え、送風機モータ５のリード線５Ａを、天板１Ｂの内面に沿って板材３０の立下り部３０Ａまで引き出して立下り部３０Ａに沿って電装箱へ導入するようにした。【選択図】　　　図２
2004092997.tif 000002
【特許請求の範囲】
【請求項１】
空気調和機本体内に熱交換器と、この熱交換器の略中央空間に配置され、前記空気調和機本体の天板に送風機モータを固定した送風機とを有する天井埋込形空気調和装置において、
前記熱交換器と前記送風機との間の空間内に配置され、前記天板に固定されての下方に延びる板材を備え、
前記送風機モータのリード線を、前記天板の内面に沿って前記板材まで引き出して前記板材に沿って電装箱へ導入するようにしたことを特徴とする天井埋込形空気調和装置。
【請求項２】
請求項１に記載の天井埋込形空気調和装置において、
前記板材を、前記送風機の吹き出し口の高さよりも低い所定の高さに設定したことを特徴とする天井埋込形空気調和装置。
【請求項３】
請求項１又は２に記載の天井埋込形空気調和装置において、
前記板材は、略Ｌ字形に曲げられて、前記天板の下方に延びる立下り部と前記天板に固定する固定部とを備え、
前記リード線は、前記天板に設けられた溝に這わせて前記固定部で覆い、前記立下り部に沿って前記電装箱へ導入するようにしたことを特徴とする天井埋込形空気調和装置。
【発明の詳細な説明】
【０００１】
【発明の属する技術分野】
本発明は、天井埋込形空気調和装置における送風機のリード線の導出構成に関する。
【０００２】
【従来の技術】
一般に、空気調和機本体内に熱交換器と、この熱交換器の略中央空間に配置し、前記空気調和機本体の天板に送風機モータを固定した送風機とを有する天井埋込形空気調和装置が知られている。そして、送風機により送風された空気が熱交換器を通過して室内に吹き出される。
【０００３】
この種の天井埋込形空気調和装置として、送風機のリード線は、空気調和機本体の天板を這った後、前記熱交換器の内側面に沿って立ち下げられて、電装箱に導入されるのが一般的である。
【０００４】
【発明が解決しようとする課題】
しかしながら、送風機のリード線が熱交換器の内側面に沿って立ち下げられていると、送風機により送風された空気によってリード線が振動し、熱交換器に当たる等、リード線が熱交換器に干渉するおそれがあるという問題がある。
【０００５】
また、送風機により送風された空気が熱交換器のフィンに当たることにより騒音が発生するという問題がある。
【０００６】
そこで、本発明の目的は、上述した従来の技術が有する課題を解消し、送風機のリード線の熱交換器への干渉を防止し、熱交換器より発生する騒音を抑制する天井埋込形空気調和装置を提供することにある。
【０００７】
【課題を解決するための手段】
請求項１に記載の発明は、空気調和機本体内に熱交換器と、この熱交換器の略中央空間に配置され、前記空気調和機本体の天板に送風機モータを固定した送風機とを有する天井埋込形空気調和装置において、前記熱交換器と前記送風機との間の空間内に配置され、前記天板に固定されての下方に延びる板材を備え、前記送風機モータのリード線を、前記天板の内面に沿って前記板材まで引き出して前記板材に沿って電装箱へ導入するようにしたことを特徴とするものである。
【０００８】
請求項２に記載の発明は、請求項１に記載の発明において、前記板材を、前記送風機の吹き出し口の高さよりも低い所定の高さに設定したことを特徴とするものである。
【０００９】
請求項３に記載の発明は、請求項１又は２に記載の発明において、前記板材は、略Ｌ字形に曲げられて、前記天板の下方に延びる立下り部と前記天板に固定する固定部とを備え、前記リード線は、前記天板に設けられた溝に這わせて前記固定部で覆い、前記立下り部に沿って前記電装箱へ導入するようにしたことを特徴とするものである。
【００１０】
【発明の実施の形態】
以下、本発明の一実施の形態を、添付図面を参照して説明する。
【００１１】
図１に示すように、この天井埋込型空気調和装置は、板金製の箱形の空気調和機本体１を有し、吊りボルト２で天井からつり下げられている。この空気調和機本体１は下方が開口し、天井に埋め込まれた場合、この開口側が被調和室に対向する。
【００１２】
空気調和機本体１の天板１Ｂには、モータ５が固定され、このモータ５のシャフト５Ｂには羽根車７が取り付けられている。これらが送風機９を構成している。このモータ５は、ＤＣモータ（直流モータ）である。
【００１３】
この送風機９を取り囲むように、多角形状に曲げられた熱交換器１１が配置され、この熱交換器１１の下側にはドレンパン１３が配置され、このドレンパン１３にはベルマウス１４が取り付けられている。
【００１４】
そして、空気調和機本体１の下面には、化粧パネル２１が取り付けられ、この化粧パネル２１には、吸込口２２と吹出口２３とが形成され、吸込口２２の内側にはフィルタ２５が装着されている。
【００１５】
図２は、ドレンパン１３を取り除いた状態の空気調和機本体１を示す平面図である。上記の熱交換器１１は略５角形（多角形）状に曲げられて、空気調和機本体１の内側に配置されている。
【００１６】
この熱交換器１１の３辺１１Ａ，１１Ｂ，１１Ｃは、空気調和機本体（筐体）１の３辺１Ａ，１Ｂ，１Ｃに対し略平行に延び、残りの一部１１Ｄは、筐体１の一辺１Ｄに対応した位置で、当該筐体１の一辺１Ｄ側に三角状に張り出して構成されている。この熱交換器１１は、フィン・アンド・チューブ形の熱交換器を、実線矢印で示す空気の流れ方向に対し、二重に重ねて構成され、熱交換器の各隅部を、曲げローラ治具にセットされた半径Ｒの同一ローラ（図示せず）で曲げて、５角形（多角形）状に形成されている。また、この熱交換器１１は、曲げ始め位置１１Ｋと曲げ終わり位置１１Ｌとの間が幅狭の管板１１Ｍを介して連結されている。この管板１１Ｍには、交流電源にて電源供給される機器のリード線（不図示）を這わせている。
【００１７】
図２を参照し、熱交換器１１の外側の空間には、配管類２７やドレンポンプ２８を配置するスペースを確保する必要があり、しかも近年、空気調和機本体１内の狭隘なスペースに熱交換器１１を配置する場合、この熱交換器１１の曲げ形状に一定の制約が課される一方で、伝熱面積を可能な限り増大させて、大きな熱交換能力を得ることが要求されている。
【００１８】
熱交換器１１の一部１１Ｄを、筐体１側に張り出す構成とすることにより、一部を張り出さない構成のものに比べ、伝熱面積を増大させることができると共に、一部１１Ｄを挟んで、両側の比較的大きなスペースＳ１，Ｓ２に、配管類２７、及びドレンポンプ２８を分散配置することで、これら機器を効率よく格納することができる。尚、このドレンポンプ２８のモータは、例えば、ＤＣモータ（直流モータ）である。
【００１９】
図３は、図２に示す空気調和機本体１に対し、ドレンパン１３を装着した状態を示す平面図である。この空気調和機本体１（図３では一点鎖線で示す）は、４辺にほほ矩形の内部吹出口４１を備え、この内部吹出口４１が、図１に示す化粧パネル２１の吹出口２３に連通している。上記ドレンパン１３には、熱交換器１１の一部１１Ｄに対応した位置に、上記内部吹出口４１の内側に突出した、突部１３Ａが一体的に形成されている。
【００２０】
図３に示すように、熱交換器１１の一部１１Ｄが、空気調和機本体１側に三角状に張り出すため、この一部１１Ｄの形状に沿わせて、電装箱４５の形状が略くの字状に曲げて形成されており、この電装箱４５は、熱交換器１１の下方に位置するように配置されている。
【００２１】
この種の電装箱４５は、一般的には直線状であり、それだと電装箱４５がベルマウス１４内に大きく張り出して、送風機９の吸込み面積を減ずる。本実施形態では、電装箱４５を、熱交換器１１の一部１１Ｄの形状に沿わせて、略くの字状に曲げたため、電装箱４５がベルマウス１４内に張り出すことがなく、送風機９の吸込み面積が大きく確保される。
【００２２】
図２において、熱交換器１１と送風機９との間の空間Ａ内には、金属製の板材３０が配置されており、この板材３０は、天板１Ｂにビス等により固定されて下方に延びている。リード線５Ａは、天板１Ｂの内面に沿って板材３０まで引き出して板材３０に沿って電装箱４５（図３）へ導入するようにしている。
【００２３】
具体的に、この板材３０は、天板１Ｂの下方に延びる立下り部３０Ａと天板１Ｂに固定する固定部３０Ｂとを有している。そして、リード線５Ａを、天板１Ｂの内面に沿って板材３０の立下り部３０Ａまで引き出して板材３０の立下り部３０Ａに沿って電装箱４５（図３）へ導入するようにしている。
【００２４】
尚、直流モータであるモータ５のリード線５Ａは、管板１１Ｍに這わせている、交流電源にて電源供給される機器のリード線（不図示）と離隔して配置するのが好ましい。
【００２５】
本実施の形態では、板材３０を交流電源にて電源供給される機器のリード線（不図示）と離隔して配置している。これによって、直流モータであるモータ５のリード線５Ａを交流電源にて電源供給される機器のリード線（不図示）と離隔することができる。
【００２６】
図４は、図２に示す空気調和機本体１に対し、更に送風機９を取り除いた状態の空気調和機本体を示す斜視図である。空気調和機本体１の天板１Ｂには、補強用のビード１Ｃが形成されている。
【００２７】
本実施の形態において、モータ５に連結されたリード線５Ａは、空気調和機本体１の天板１Ｂにおけるビード１Ｃによって形成される溝部１Ｄに沿って、熱交換器１１と送風機９との間の空間Ａ（図２）に向かう。この溝部１Ｄは、モータ５から熱交換器１１に向かって延びている。言い換えれば、この溝部１Ｄは、モータ５から略放射状に延びている。
【００２８】
板材３０は、図４に示すように、略Ｌ字形に曲げられており、天板１Ｂの下方に延びる立下り部３０Ａと天板１Ｂに固定する固定部３０Ｂとを有している。
【００２９】
この板材３０の固定部３０Ｂは、空気調和機本体１の天板１Ｂの溝部１Ｄに這わせたリード線５Ａを固定するものであり、この固定部３０Ｂは、モータ５近傍から空間Ａに向かって延びており、リード線５Ａを天板１Ｂと板材３０の固定部３０Ｂとで挟み込んで、天板１Ｂにねじ等で固定される。
【００３０】
つまり、板材３０の固定部３０Ｂは、リード線５Ａを天板１Ｂの溝部１Ｄに這わせた状態で溝部１Ｄ（即ち、リード線５Ａ）を覆うように天板１Ｂに固定される。
【００３１】
板材３０の固定部３０Ｂが天板１Ｂに固定されるので、略Ｌ字形に曲げられた板材３０の立下り部３０Ａは、天板１Ｂに対して略垂直方向に立ち下げられた状態となる。リード線５Ａは、この立下り部３０Ａの背面に沿って電装箱４５（図３）に導入される。
【００３２】
このリード線５Ａは、図５に示すように、板材３０の立下り部３０Ａに沿って立ち下がり、複数のクランパー４４によって係止され固定される。
【００３３】
この略Ｌ字形の板材３０は、図２に示すように、送風機９が破線矢印方向Ｘ（時計方向）に回転する場合において、送風機９から吹き出される空気を整流するよう、熱交換器１１の隅部Ｒ１の付近に板材３０の立下り部３０Ａが配置される。これによって、熱交換器１１の隅部Ｒ１に吹き付けられる風向Ｙの空気の風速が、板材３０の立下り部３０Ａによって低減されて、送風機９から吹き出される空気が整流されるので、送風機９により送風された空気が熱交換器１１の隅部Ｒ１のフィンに当たることにより発生する騒音を低減させることができる。
【００３４】
尚、送風機９の吹出口９Ａから吹き出す空気の風速分布は、図６に示すように、天板１Ｂ付近が最大風速であり、下方に向かうに従って風速が弱まる。この吹出口９Ａの高さをＨ１とする。
【００３５】
板材３０の立下り部３０Ａの立下りの長さ（高さ）Ｈ２（図５）を、送風機９の吹出口９Ａの高さ以上に設定すれば、より整流効果が得られるが、熱交換器１１を遮蔽する面積が広くなってしまうので、板材３０の立下り部３０Ａを、送風機９の吹出口９Ａの高さよりも低く設定するのが好ましい。このとき、この立下り部３０Ａの立下りの長さ（高さ）Ｈ２を短くしすぎると、リード線５Ａに風による負荷がかかり、熱交換器１１に接触したり、振動したりするので、立下り部３０Ａの立下りの長さ（高さ）Ｈ２をリード線５Ａに風による過負荷がかからない所定の立下りの長さ（高さ）に設定するのが好ましい。
【００３６】
このように、立下り部３０Ａの立下りの長さ（高さ）Ｈ２を風による過負荷がかからない所定の立下りの長さ（高さ）に設定することで、送風機９の吹出口９Ａから吹き出す空気の風速が強い部分に板材３０の立下り部３０Ａが配置されるので、送風機９から吹き出される空気が好適に整流され、また、送風機９の吹出口９Ａから吹き出す空気の風速が弱い部分は、熱交換器１１に対して空気の流れを遮蔽する板材３０がないので、熱交換器１１を遮蔽する面積を削減することができ、更に、風速が弱いので、立下り部３０Ａから電装箱４５に亘るリード線５Ａにかかる風圧加重を小さくでき、また、熱交換器１１のフィンに風が当たるときの騒音（風きり音）も小さく抑えることができる。
【００３７】
本実施の形態では、図２、図４及び図５に示すように、板材３０の固定部３０Ｂには、この板材３０の強度を高めるため、固定部３０の短手方向に対して湾曲している湾曲部３０Ｃが設けられている。
【００３８】
この湾曲部３０Ｃによって板材３０の強度が増すので、この板材３０が固定される天板１Ｂの強度が増加し、空気調和機本体１の強度が増加する。
【００３９】
尚、送風機９における羽根車７は、振動による騒音防止の観点から、モータ５に近づくように、モータ５のシャフト５Ｂに固定されるのが好ましい。
【００４０】
しかしながら、送風機９の羽根車７がモータ５に近づけられてシャフト５Ｂに固定された場合、羽根車７が回転したときに羽根車７の外周が板材３０の湾曲部３０Ｃに当たるおそれがある。例えば、送風機９の羽根車７には、バランスをとるために、羽根車の外周にウエイト（不図示）が取り付けられており、このウエイトが板材３０の湾曲部３０Ｃに当たるおそれがある。
【００４１】
本実施の形態では、湾曲部３０Ｃに羽根車７の外周を回避する座押し部３０Ｄを設けている。これによって、羽根車７の外周が湾曲部３０Ｃに当たるのを回避することができるとともに、座押し部３０Ｄによってモータ５のリード線５Ａを天板１Ｂに押圧固定することで、リード線５Ａの移動を防止している。
【００４２】
尚、湾曲部３０Ｃには、複数の座押し部３０Ｄ、３０Ｅを設けており、これら座押し部３０Ｄ、３０Ｅによって、１つの座押し部を設けた場合よりもリード線５Ａの移動を防止することができる。つまり、湾曲部３０Ｃには、複数の座押し部３０Ｄ、３０Ｅを設けており、少なくとも１つの座押し部３０Ｄは、羽根車７の外周を回避する位置に設けている。
【００４３】
本実施の形態によれば、熱交換器１１と送風機９との間の空間Ａ内に配置され、天板１Ｂに固定されての下方に延びる板材３０を備え、モータ５のリード線５Ａを、天板１Ｂの内面に這わせて板材３０に沿って電装箱４５へ導入するようにしたことから、リード線５Ａの熱交換器１１への干渉を防止し、送風機９による熱交換器１１の騒音（風きり音）を抑制することができる。
【００４４】
尚、本実施の形態では、固定部に固定部の短手方向に対して湾曲している湾曲部を設けた場合について説明したが、これに限るものではなく、更に立下り部に立下り部の短手方向に対して湾曲している湾曲部を設ければ、板材の立下り部の強度が増し、立下り部そのものの振動を抑制することができる。この場合、この湾曲部は、少なくとも立下り部の長手方向における先端に設けるのが好ましい。湾曲部を立下り部の先端に設けることで、より板材の立下り部の強度が増し、効果的に立下り部そのものの振動を抑制することができる。
【００４５】
以上、一実施形態に基づいて本発明を説明したが、本発明はこれに限定されるものでないことは明らかである。
【００４６】
【発明の効果】
本発明では、送風機のリード線の熱交換器への干渉を防止し、熱交換器より発生する騒音を抑制することができる。
【図面の簡単な説明】
【図１】本発明による天井埋込形空気調和装置の一実施形態を示す断面図である。
【図２】ドレンパンを外した空気調和機本体の平面図である。
【図３】ドレンパンを装着した空気調和機本体の平面図である。
【図４】送風機を外した空気調和機本体の斜視図である。
【図５】板材の斜視図である。
【図６】送風機の風速分布を示す図である。
【符号の説明】
１　空気調和機本体
１Ｂ　天板
１Ｄ　溝部（溝）
５　モータ（送風機モータ）
５Ａ　リード線
７　羽根車
９　送風機
１１　熱交換器
３０　板材
３０Ａ　立下り部
３０Ｂ　固定部
４５　電装箱
【図１】
2004092997.tif 000003
【図２】
2004092997.tif 000004
【図３】
2004092997.tif 000005
【図４】
2004092997.tif 000006
【図５】
2004092997.tif 000007
【図６】
2004092997.tif 000008